(57)【要約】      （修正有）【課題】ボタン電池を用いる場合と比べて電子時計のムーブメントを小型化かつ薄型化するとともにムーブメントの耐衝撃性を向上させる。【解決手段】電子時計１は、外装ケース３０と、外装ケース３０内に配置されたムーブメント１０と、ムーブメント１０を駆動する電池２０とを有し、電池２０は、表面に少なくとも１つの凸部を有し、ムーブメント１０を覆うように外装ケース３０とムーブメント１０との間に配置され、凸部で外装ケース３０とムーブメント１０との少なくとも一方に接触している。【選択図】図１
2020134276.tif 000002
【特許請求の範囲】
【請求項１】
外装ケースと、
前記外装ケース内に配置されたムーブメントと、
前記ムーブメントを駆動する電池と、を有し、
前記電池は、表面に少なくとも１つの凸部を有し、前記ムーブメントを覆うように前記外装ケースと前記ムーブメントとの間に配置され、前記凸部で前記外装ケースと前記ムーブメントとの少なくとも一方に接触していることを特徴とする電子時計。
【請求項２】
前記電池は、前記外装ケースの側壁に沿って延びる薄板形状を有し、前記ムーブメントの側面を覆うように配置され、
前記凸部は、前記外装ケースの側壁の内側表面と前記ムーブメントの側面との少なくとも一方に接触している、請求項１に記載の電子時計。
【請求項３】
前記ムーブメントは側方に突出する巻真を有し、
前記電池は、前記ムーブメントの周方向における前記巻真の位置を避けて、前記電子時計の厚さ方向に見たときにＣ字形状になるように配置されている、請求項２に記載の電子時計。
【請求項４】
前記凸部は、前記ムーブメントの周方向において等間隔に配置された複数の凸部である、請求項２または３に記載の電子時計。
【請求項５】
前記電池は、時刻の表示面とは反対側である前記外装ケースの底部に沿って延びる薄板形状を有し、前記ムーブメントの底面を覆うように配置され、
前記凸部は、前記外装ケースの底部の内側表面と前記ムーブメントの底面との少なくとも一方に接触している、請求項１に記載の電子時計。
【請求項６】
前記凸部は、前記電池の両面に形成され、前記外装ケースと前記ムーブメントとの両方に接触している、請求項１〜５のいずれか一項に記載の電子時計。
【請求項７】
前記電池は、屏風状に複数回折り畳まれることで形成された複数の襞を有し、
前記凸部は前記襞の山の部分である、請求項６に記載の電子時計。
【発明の詳細な説明】
【技術分野】
【０００１】
本発明は、電子時計に関する。
【背景技術】
【０００２】
特許文献１には、ムーブメントの外周であってかつケース枠の内側に延出した上側環状部分の下に環状空間を形成し、そこに環状の電池を収納してなる電池駆動型時計が記載されている。
【０００３】
また、近年、電池の薄型化やフレキシブル化が求められており、ペーパ電池などの各種の薄型電池が開発されている。例えば、特許文献２には、電極群とこれを収容する外装体とを備え屈曲可能なフレキシブル電池が記載されている。
【先行技術文献】
【特許文献】
【０００４】
【特許文献１】実開昭５１−１３３６８号公報
【特許文献２】特開２０１６−７２０１５号公報
【発明の概要】
【発明が解決しようとする課題】
【０００５】
図７（Ａ）および図７（Ｂ）は、従来の電子時計のムーブメント２の模式的な平面図および断面図である。これらの図では、ムーブメント２の構成要素のうち、輪列１５、裏周り１６および電池２００を図示している。符号１５１は図示しない指針の回転軸（指針軸）を、符号１９は、使用者が手動で指針の位置などを調整するための操作軸（巻真、リューズ）を指す。輪列１５は、指針を回転させるための各種の歯車であり、裏周り１６は、使用者がリューズを引く操作を輪列１５に伝達するための機構である。電池２００は、ムーブメント２の電源となるボタン電池である。
【０００６】
アナログクオーツの腕時計では、ボタン電池が広く用いられており、ボタン電池は、電源供給を安定させるためにムーブメント内に配置される。一般に、ボタン電池は円柱形状を有し、その大きさや厚さは、ムーブメント内の時計部品の中で比較的大きい。また、図７（Ａ）および図７（Ｂ）に示すように、ムーブメントの中心には輪列１５が配置され、巻真１９の周囲には裏周り１６が配置される。このため、ムーブメント２の外径は輪列１５、裏周り１６および電池２００の大きさで決まり、ムーブメント２の厚さは電池２００の厚さで決まる。輪列１５や裏周り１６、巻真１９の大きさや位置は時計の構造上、変更しにくいため、電子時計の小型化、薄型化のためには、電池を小型化、薄型化するとともに、これらの部材を避けて電池を配置する必要がある。
【０００７】
また、一般に、ボタン電池は、内部に電解質の液体が詰まり、外周が金属で覆われているので、時計部品の中で比較的重い部品でもある。そのため、電子時計に衝撃が加わると、電池がムーブメントから飛び出そうとして、電池の周辺にある他の部材を破壊したり、電子時計の電源が切れてリセットがかかったりすることがある。
【０００８】
本発明は、ボタン電池を用いる場合と比べて電子時計のムーブメントを小型化かつ薄型化するとともにムーブメントの耐衝撃性を向上させることを目的とする。
【課題を解決するための手段】
【０００９】
外装ケースと、外装ケース内に配置されたムーブメントと、ムーブメントを駆動する電池とを有し、電池は、表面に少なくとも１つの凸部を有し、ムーブメントを覆うように外装ケースとムーブメントとの間に配置され、凸部で外装ケースとムーブメントとの少なくとも一方に接触していることを特徴とする電子時計が提供される。
【００１０】
電池は、外装ケースの側壁に沿って延びる薄板形状を有し、ムーブメントの側面を覆うように配置され、凸部は、外装ケースの側壁の内側表面とムーブメントの側面との少なくとも一方に接触していることが好ましい。
【００１１】
ムーブメントは側方に突出する巻真を有し、電池は、ムーブメントの周方向における巻真の位置を避けて、電子時計の厚さ方向に見たときにＣ字形状になるように配置されていることが好ましい。
【００１２】
凸部は、ムーブメントの周方向において等間隔に配置された複数の凸部であることが好ましい。
【００１３】
電池は、時刻の表示面とは反対側である外装ケースの底部に沿って延びる薄板形状を有し、ムーブメントの底面を覆うように配置され、凸部は、外装ケースの底部の内側表面とムーブメントの底面との少なくとも一方に接触していることが好ましい。
【００１４】
凸部は、電池の両面に形成され、外装ケースとムーブメントとの両方に接触していることが好ましい。
【００１５】
電池は、屏風状に複数回折り畳まれることで形成された複数の襞を有し、凸部は襞の山の部分であることが好ましい。
【発明の効果】
【００１６】
上記の電子時計によれば、ボタン電池を用いる場合と比べてムーブメントが小型かつ薄型になるとともにその耐衝撃性が向上する。
【図面の簡単な説明】
【００１７】
【図１】電子時計１の平面図および部分断面図である。
【図２】電池２０，２０Ａ，２０Ｂの斜視図である。
【図３】電子時計１’の平面図および部分断面図である。
【図４】電池２０Ｃ，２０Ｄの斜視図および断面図である。
【図５】電子時計１’’の断面図である。
【図６】電池２０Ｅ，２０Ｆの斜視図である。
【図７】従来の電子時計のムーブメント２の模式的な平面図および断面図である。
【発明を実施するための形態】
【００１８】
以下、図面を参照しつつ、電子時計について説明する。ただし、本発明は図面または以下に記載される実施形態には限定されないことを理解されたい。
【００１９】
図１（Ａ）および図１（Ｂ）は、電子時計１の平面図および部分断面図である。電子時計１は、主要な構成部品として、ムーブメント１０、電池２０、外装ケース３０、裏蓋３５、文字板５０、風防ガラス７０およびアンテナ８０を有する。図１（Ａ）は電子時計１を裏蓋３５側から見た平面図であり、内部構造が分かるように、裏蓋３５が透明であるとして図示している。図１（Ｂ）は、図１（Ａ）のＩＢ−ＩＢ線に沿った電子時計１の切断面を示す。以下では、電子時計がアナログの腕時計である場合の例を説明するが、電子時計は腕時計に限らず置き時計などでもよいし、デジタル時計でもよい。
【００２０】
外装ケース３０は、図示した例では平面視で円形であり、円筒形の内部空間を有する。裏蓋３５は、外装ケース３０で囲まれる電子時計１の内部空間の底部を覆う部材である。文字板５０および風防ガラス７０は、ムーブメント１０を挟んで裏蓋３５とは反対側に配置されており、これらも裏蓋３５とともに平面視で円形である。ただし、外装ケース３０や裏蓋３５、文字板５０、風防ガラス７０の形状は、電子時計のデザインによっては４角形などの他の形状でもよい。アンテナ８０は、ＧＰＳ（Global Positioning System：全地球測位システム）などの衛星電波、標準電波またはその他の無線電波を受信する。電子時計１はアンテナ８０により時刻情報を受信して現在時刻を設定可能な電波時計であるが、アンテナ８０は必須の部品ではなく、電波の受信機能はなくてもよい。
【００２１】
ムーブメント１０は、機械的な部品と電気的な部品を含む電子時計１の駆動機構であり、外装ケース３０内に配置されている。ムーブメント１０は、回路基板１１、回路押さえ１２および地板１３、ならびに図示しない指針を駆動するためのモータや輪列などで構成され、それらが組み込まれユニット化された部品である。ムーブメント１０の形状は、図示した例では概ね円柱状であるが、それには限定されない。
【００２２】
回路基板１１は、時刻を計時するための図示しない回路が搭載された基板である。図１（Ａ）では回路押さえ１２に隠れてほとんど見えないが、回路基板１１は概ね円板形状を有し、ムーブメント１０の裏蓋３５側の面（底面）をほぼ覆うように地板１３の底面に固定されている。回路押さえ１２は、回路基板１１を固定するために回路基板１１の上（裏蓋３５側）に配置された金属板であり、回路基板１１を間に挟んで地板１３の底面にねじ止めされている。地板１３は、内部にモータや輪列などの駆動部品が組み込まれるムーブメント１０の本体部分である。実際には、地板１３には様々な凹凸が形成されているが、それらを無視すれば地板１３は概ね円板形状を有する。
【００２３】
操作ボタン１８は、時刻の設定や電子時計１の様々な付加機能を実行するために使用者により押下される操作部であり、ムーブメント１０の側面から突出して外装ケース３０の側壁を貫通している。図１（Ａ）では外装ケース３０に隠れて見えないが、操作ボタン１８の先端部は電子時計１の外側に露出している。巻真（リューズ）１９は、手動で指針の位置などを調整するために使用者により回される操作軸であり、操作ボタン１８と同様にムーブメント１０の側面から突出して外装ケース３０の側壁を貫通し、その先端部は電子時計１の外側に露出している。操作ボタン１８と巻真１９は、図示した例ではムーブメント１０の周方向に３０度程度離れているが、両者の位置関係は図示したものとは異なっていてもよい。
【００２４】
図２（Ａ）は、電池２０の斜視図である。電池２０は、ムーブメント１０を駆動する電子時計１の電源であり、屏風状に折り畳まれた状態で外装ケース３０の内壁に沿って延びる薄板形状を有する。電池２０は、例えば、正極と負極の間の電解質層が薄膜状に形成され、その電極と電解質層が可撓性の外装体に収容されたフレキシブル電池である。あるいは、電池２０は、公知の全固体電池やポリマー電池で薄型に構成されたものでもよいが、折り曲げてＣ字形状に変形できるように可撓性を有することが好ましい。電子時計１の径方向における電池２０の厚さは、電子時計１の厚さ方向における電池２０の幅よりも小さいことが好ましい。
【００２５】
電池２０は、外装ケース３０の内壁とムーブメント１０の側面との間に配置され、ムーブメント１０の周方向における操作ボタン１８および巻真１９の位置を除いて、ムーブメント１０のほぼ全体（中心角で言うと３３０度程度）を取り囲んでいる。すなわち、電池２０は、外装ケース３０とムーブメント１０との間の空間を貫通する操作ボタン１８および巻真１９を避けてムーブメント１０の外周にＣ字形状に巻かれており、ムーブメント１０の側面を覆っている。
【００２６】
符号２１，２２は、電池２０の電極（正極と負極）を指す。電極２１，２２は、例えば、Ｃ字形状の電池２０の両端部における内周面、外周面、両端面または底面（裏蓋３５側の面）のうちのどこにあってもよい。図１（Ａ）および図１（Ｂ）では、電池２０の両端部の全体（内周面、外周面、両端面および底面）が電極２１，２２であるように簡略化している。図２（Ａ）では、電池２０の内周面が電極２１，２２であるとして図示している。
【００２７】
電池２０は、屏風状に複数回折り畳まれることで形成された複数の折れ目２３（襞）を有する。折れ目２３は電池２０の凸部であり、電池２０の円周方向（ムーブメント１０の周方向）において等間隔に配置されている。電池２０は、折れ目２３の部分で外装ケース３０とムーブメント１０の両方に接触しており、より正確には、外周面における襞の山の部分で外装ケース３０の側壁の内側表面に接触し、内周面における襞の山の部分でムーブメント１０の側面に接触している。符号２９は、電池２０がムーブメント１０に巻き付けられたときに操作ボタン１８および巻真１９が入る隙間を指す。
【００２８】
回路基板１１上の回路と電池２０の電極２１，２２とは、図１（Ａ）および図１（Ｂ）に示す端子１１１，１１２により電気的に接続されている。図示した例では、端子１１１，１１２の接続用に回路押さえ１２の２箇所が切り欠かれており、回路基板１１はその位置で裏蓋３５側に露出している。端子１１１，１１２は細長い板状の導通部材であり、回路基板１１の露出箇所において端子１１１は電極２１に向けて、端子１１２は電極２２に向けて、それぞれムーブメント１０の径方向に延びている。
【００２９】
端子１１１，１１２は、裏蓋３５の内側表面に固定された押付部材３６により裏蓋３５側から押圧されて、回路基板１１上の回路と電池２０の電極２１，２２とにそれぞれ接触している。押付部材３６は、裏蓋３５よりも直径が小さい中心部分と、その外周部から回路基板１１に向けて電子時計１の厚さ方向に斜めに延びる２本の腕部３６１，３６２とを有する。腕部３６１，３６２は、板ばねなどの弾性体であり、それぞれ端子１１１，１１２を回路基板１１と電池２０の両方に押し付ける。ムーブメント１０を外装ケース３０内に組み込んだ後で、電池２０を外装ケース３０内に収め、端子１１１，１１２を腕部３６１，３６２で押さえることで、回路基板１１と電池２０との電気的な接続が確保される。電極２１，２２の間で短絡が生じないように、腕部３６１，３６２かまたは端子１１１，１１２の裏蓋３５側の表面は、絶縁体で構成される。
【００３０】
図３（Ａ）および図３（Ｂ）は、電子時計１’の平面図および部分断面図である。電子時計１’は、図１（Ａ）の操作ボタン１８および押付部材３６が省略され、端子１１１，１１２が端子１１１’，１１２’にそれぞれ置き換えられている点が電子時計１とは異なり、その他の点では電子時計１と同じ構成を有する。図３（Ａ）では、図１（Ａ）と同様に、電子時計１’の裏蓋３５側の面を裏蓋３５が透明であるとして図示している。図３（Ｂ）では、図３（Ａ）のＩＩＩＢ−ＩＩＩＢ線に沿った電子時計１’の切断面を示しているが、外装ケース３０と風防ガラス７０の図示を省略している。電子時計１’のように操作ボタンがない電子時計では、巻真１９が突出している位置以外のムーブメント１０の全周に、電池２０を巻き付けることができる。
【００３１】
端子１１１’，１１２’はどちらも同じ形状を有し、回路基板１１と回路押さえ１２との間に挟まれ、その外周側の先端部は、回路基板１１と回路押さえ１２の端部で文字板５０側に折り曲げられている。端子１１１’，１１２’は板ばねなどの弾性体であり、その先端部は外周側（図３（Ｂ）の左側）に向けて付勢され、電池２０の電極２１，２２の側面に接触している。端子１１１’，１１２’の先端部は、地板１３の切欠き部１３１内をムーブメント１０の径方向（図３（Ｂ）の左右）に移動可能である。電子時計１’では、端子１１１’，１１２’はムーブメント１０に予め設けられており、ムーブメント１０を外装ケース３０内に組み込んだ後で電池２０を外装ケース３０内に収めるだけで、回路基板１１と電池２０との電気的な接続が確保される。
【００３２】
符号４０，４５は、それぞれ、ムーブメント１０と文字板５０の間に配置されたソーラセルおよび日車を指す。ソーラセル４０と日車４５は、図１（Ｂ）では図示されていないが、電子時計１にも含まれていてもよい。電池２０は、１次電池に限らず、ソーラセル４０によって充電される２次電池でもよい。
【００３３】
電子時計１，１’では、ムーブメント１０内に電池が配置されないので、内部にボタン電池を含む図７（Ａ）のムーブメント２と比べて、ムーブメント１０を小型化かつ薄型化することができる。また、電子時計１，１’では、電池２０の円周方向の長さや、径方向の厚さ、電子時計の厚さ方向における電池２０の幅にある程度の自由度がある。このため、同じムーブメント１０に対して様々な形状および大きさの電池を用意し、複数種類の薄型電池の中から長寿命のものや安価なものなどを適宜選択して使用することができる。
【００３４】
電子時計１，１’の電池２０は、屏風状に折り畳まれることで弾性を有し、ムーブメント１０と外装ケース３０との間におけるムーブメント１０の衝撃吸収材（緩衝材）としても機能する。ムーブメントの外周がプラスチック製の枠体（中枠）で囲まれた従来の電子時計では、中枠が緩衝材を兼ねているが、電子時計１，１’では、中枠のないムーブメントを使用する場合でも、電池２０自体が緩衝材として働く。このため、電子時計１，１’では、耐衝撃性が向上して電源が安定し、かつ、電池２０をムーブメント１０内に固定する部材やムーブメント１０の緩衝材を別途設ける必要がなくなるので、部品数の削減の効果も得られる。また、電池２０に凹凸を持たせることで、そうしない場合と比べて電池２０の長さが長くなり、電解質の体積が増えるので、電池容量も多くなる。
【００３５】
図２（Ｂ）および図２（Ｃ）は、別の電池２０Ａ，２０Ｂの斜視図である。図２（Ｂ）に示す電池２０Ａは、外周面上に４つの凸部２４を有し、内周面における各凸部２４の裏側に凹部２５を有する。凸部２４は、電池２０Ａの周方向において互いに９０度間隔で配置されており、凸部２４と凹部２５が周方向の同じ位置にあることで、電池２０Ａは全周にわたって同じ厚さを有する。図２（Ｃ）に示す電池２０Ｂも外周面上に９０度間隔で配置された４つの凸部２４を有するが、電池２０Ｂの内周面２６は、電池２０Ａとは異なり、全周にわたって凹凸のない平坦面である。図示した形態とは逆に、電池の内周面だけに凸部を形成し、外周面を平坦面にしてもよい。
【００３６】
図４（Ａ）および図４（Ｂ）は電池２０Ｃの斜視図および断面図であり、図４（Ｃ）は電池２０Ｄの断面図である。電池２０Ｃは、長手方向の一端部に電極２１が、他端部に電極２２がそれぞれ形成された薄板形状の電池であり、電極間の表面に格子状に形成された多数の円形の凸部２４を有する。図４（Ｂ）に示すように、各凸部２４の裏側は凹部であり、凸部２４同士の間は平坦面２７である。電池２０Ｄは、電池２０Ｃと同様の電極２１，２２および凸部２４を有する薄板形状の電池であるが、凸部２４同士の間が平坦面ではなく、凸部２４とは反対側の面に突出する円形の凸部２４’になっている点が電池２０Ｃとは異なる。こうした形状の電池は、例えばフレキシブル電池をプレス加工することで作製される。
【００３７】
電子時計１，１’の電池は、電池２０のように直線上の折れ目を有するものに限らず、電池２０Ａ〜２０Ｄのように曲面状の凹凸形状（湾曲）を有するものでもよいし、特に電池２０Ａ〜２０Ｃのように、片面だけに凸部を有するものでもよい。電池２０Ｃ，２０Ｄは、図４（Ａ）〜図４（Ｃ）に示した状態からＣ字形状に丸められて、外装ケース３０内に収められる。電子時計１，１’の電池２０を電池２０Ａ〜２０Ｄのいずれかに替えた場合には、例えば、凸部２４が外装ケース３０の側壁の内側表面に接触し、内周面２６、平坦面２７または凸部２４’がムーブメント１０の側面に接触する。
【００３８】
電子時計１，１’の電池２０を電池２０Ａ〜２０Ｄのいずれかに替えた場合でも、凸部２４，２４’があることで電池自体が弾性を有する。電子時計１，１’に衝撃が加えられたときには、凸部２４，２４’が変形することでその衝撃が吸収され、これにより電池２０Ａ〜２０Ｄはムーブメント１０の緩衝材としても機能する。凸部２４，２４’の個数は何個でもよく、その配置は規則的でもランダムでもよい。ただし、電池を緩衝材として機能させるためには、凸部は電池上に均等に分布していることが好ましく、３つ以上の凸部をムーブメント１０の周方向において等間隔に配置することが好ましい。
【００３９】
図５（Ａ）および図５（Ｂ）は、電子時計１’’の断面図である。電子時計１’’は、指針５、ムーブメント１０、電池２０Ｅ、外装ケース３０、文字板５０、見返しリング５５、ベゼル６０および風防ガラス７０を有する。風防ガラス７０側から見たときの電子時計１’’の形状は円形である。いずれの図も、その円の直径を含む面で電子時計１’’を厚さ方向に切断したときの断面を示しており、図５（Ａ）と図５（Ｂ）では切断面の向きが９０度異なる。電子時計１’’と上記の電子時計１，１’との本質的な差異点は、電池の形状およびその配置位置、ならびに電池とムーブメント１０の回路基板１１との接続形態である。
【００４０】
電子時計１’’の電池２０Ｅは、電子時計１，１’の電池２０と同様に薄板形状を有するが、外装ケース３０の側壁とムーブメント１０の側面との間ではなく、裏蓋３５とムーブメント１０の底面（裏蓋３５側の面）との間に配置されている。外装ケース３０と裏蓋３５とをまとめて外装ケースととらえれば、電池２０Ｅは、風防ガラス７０（時刻の表示面）とは反対側である外装ケース３０の底部に沿って配置され、ムーブメント１０の底面の全体を覆っている。
【００４１】
図６（Ａ）は、電池２０Ｅの斜視図である。電子時計１，１’の電池２０の形状は、Ｃ字形状が解かれた状態では長方形（帯状）であるが、電池２０Ｅの形状は、円形の外装ケース３０内の底部に敷かれるため円形である。この全体形状の差異点を除けば、電池２０Ｅは、電池２０と同様に、屏風状に複数回折り畳まれることで形成された複数の折れ目２３’（襞）を有する。折れ目２３’は電池２０の凸部であり、互いに平行かつ等間隔に配置されている。電池２０Ｅは、外装ケース３０内において、裏蓋３５側の面における襞の山の部分で裏蓋３５の内側表面に接触し、文字板５０側の面における襞の山の部分でムーブメント１０の底面（回路押さえ１２の表面）に接触している。符号２１，２２は電池２０Ｅの電極（正極と負極）を指し、電極２１は円の外周側の一箇所に、電極２２は、円の中心を挟んで電極２１と対向する外周側の箇所に、それぞれ形成されている。
【００４２】
電子時計１’’の回路基板１１も概ね円板形状を有し、ムーブメント１０の底面のほぼ全体を覆っており、電池２０Ｅとの接続箇所を除く大部分は回路押さえ１２で覆われている。回路基板１１上の回路と電池２０Ｅの電極２１，２２とは、図５（Ａ）および図５（Ｂ）に示す端子１１１’’，１１２’’により電気的に接続されている。端子１１１’’，１１２’’は細長い板状の導通部材であり、それぞれの一端部は回路基板１１上にねじ１１３で固定され、他端部は電極２１，２２に接触し、それらの間の部分は電極２１，２２に向けて電子時計１’’の厚さ方向に斜めに延びている。ムーブメント１０を外装ケース３０内に組み込んだ後で、端子１１１’’，１１２’’と電極２１，２２の位置を合わせて裏蓋３５側から電池２０Ｅを外装ケース３０内に収めることで、回路基板１１と電池２０Ｅとの電気的な接続が確保される。
【００４３】
このように、外装ケース３０内の電池の配置位置は、ムーブメント１０の側方に限らず、ムーブメント１０の底部における回路基板１１と裏蓋３５の間でもよい。電子時計１’’でも、折れ目２３’を含めた電池２０Ｅの厚さをボタン電池の厚さよりも小さくすれば、内部にボタン電池を含む図７（Ａ）のムーブメント２と比べて、ムーブメント１０を小型化かつ薄型化することができる。また、電子時計１’’の電池２０Ｅも、屏風状に折り畳まれることで弾性を有し、ムーブメント１０と裏蓋３５との間でムーブメント１０の緩衝材としても機能する。上記の電池２０および２０Ｅの両方を１つの外装ケース３０内に配置してもよく、この場合にも、ムーブメント１０の小型化および薄型化ならびに耐衝撃性の向上の効果が得られる。
【００４４】
電子時計１’’の電池の凸部は、例えば渦巻状のものであれば、１つでも電池の表面全体に均等に凹凸形状が与えられる。したがって、電池の凸部は、その形状によっては１つでも電子時計の耐衝撃性を向上させることができるので、必ずしも複数でなくてもよく、少なくとも１つあればよい。
【００４５】
図６（Ｂ）は、別の電池２０Ｆの斜視図である。電池２０Ｆは、図６（Ａ）の電池２０Ｅと同様の電極２１，２２を有する円形の薄板形状の電池であるが、折れ目ではなく、電極２１，２２の間に格子状に形成された図４（Ａ）の電池２０Ｃと同様の円形の凸部２４を有する。電池２０Ｆにおける凸部２４以外の部分は平坦面である。
【００４６】
電子時計１’’では、上記の電池２０Ｅに代わりに電池２０Ｆを有してもよい。凸部２４が形成されている面は、電池２０Ｆの片面でもよいし、両面でもよい。電子時計１’’の電池２０Ｅを電池２０Ｆに替えた場合には、例えば、電池２０Ｆの一方の面における凸部２４が裏蓋３５の内側表面に接触し、電池２０Ｆの他方の面（またはその面に形成された別の凸部）がムーブメント１０の底面（回路押さえ１２の表面）に接触する。電池２０Ｆも凸部２４があることで弾性を有するため、電池２０Ｆを使用する場合でも、同様に耐衝撃性の向上の効果が得られる。
【符号の説明】
【００４７】
１，１’，１’’    電子時計
１０    ムーブメント
１１    回路基板
１１１，１１１’，１１１’’，１１２，１１２’，１１２’’    端子
１２    回路押さえ
１３    地板
１８    操作ボタン
１９    巻真
２０，２０Ａ，２０Ｂ，２０Ｃ，２０Ｄ，２０Ｅ，２０Ｆ    電池
２１，２２    電極
３０    外装ケース
３５    裏蓋
【図１】
2020134276.tif 000003
【図２】
2020134276.tif 000004
【図３】
2020134276.tif 000005
【図４】
2020134276.tif 000006
【図５】
2020134276.tif 000007
【図６】
2020134276.tif 000008
【図７】
2020134276.tif 000009